(57)【要約】      （修正有）【課題】タグ発行に必要な操作労力を大幅に低減できると共に、物品取扱者の作業効率を大きく向上することができるタグ発行管理システムを提供する。【解決手段】物品タグの発行に際し操作端末１００の表示部１０１でテンプレートを表示する場合における表示条件が各管理者ごとに予め設定され、優先項目として管理者用データベース３０１に記憶されている。操作端末１００の制御回路１０５は、各管理者に対応する優先項目を管理者用データベース３０１より取得し、その取得結果に応じて在庫関連状況情報としての在庫数、仕向先情報、又は受注数等を在庫データベース３０２より取得する。この取得に基づく在庫関連状況と、上記取得した優先項目に基づく表示条件とに基づき、各管理者が作成するであろう物品タグのテンプレートが予想され、表示部１０１にそのテンプレートがプレビュー表示される。【選択図】図２
2010184766.tif 000002
【特許請求の範囲】
【請求項１】
管理対象である物品の在庫関連状況に関する、前記物品に設置される物品用無線タグの発行に際し表示手段で無線タグ種別を表示する場合に各物品取扱者の表示条件情報を第１記憶手段より取得する条件取得手段と、
前記条件取得手段の取得による表示条件に係わる在庫関連状況情報を第２記憶手段より取得する状況取得手段と、
前記状況取得手段の取得に基づく在庫関連状況と、前記条件取得手段の取得による表示条件とに基づき、前記物品取扱者による作成が予想される無線タグ種別を表示する前記表示手段と、
前記表示手段の表示に対応した、特定の前記無線タグ種別への前記物品取扱者の発行指示に基づき、当該種別の物品用無線タグを発行するタグ発行手段と
を有することを特徴とするタグ発行管理システム。
【請求項２】
前記条件取得手段は、
前記物品取扱者の前記表示条件情報を記憶した前記第１記憶手段の物品取扱者用データベースにアクセスして前記表示条件情報を取得する
ことを特徴とする請求項１記載のタグ発行管理システム。
【請求項３】
前記条件取得手段は、
前記物品取扱者に付随され当該物品取扱者の前記表示条件情報を記憶した前記第１記憶手段としての物品取扱者用無線タグより、無線通信により前記表示条件情報を取得する
ことを特徴とする請求項１記載のタグ発行管理システム。
【請求項４】
前記物品取扱者用無線タグ又は前記物品取扱者用データベースには、
前記物品取扱者が取り扱う品目情報が記憶されており
前記条件取得手段は、
前記物品取扱者用無線タグ又は前記物品取扱者用データベースより前記表示条件情報と前記品目情報とを取得し、
前記状況取得手段は、
前記品目情報に対応する前記物品の前記在庫関連状況情報を取得する
ことを特徴とする請求項２又は請求項３記載のタグ発行管理システム。
【請求項５】
前記物品取扱者用無線タグ又は前記物品取扱者用データベースは、
複数の前記表示条件情報をそれぞれの優先度情報と共に記憶しており、
前記条件取得手段は、
前記複数の表示条件情報及び対応する前記優先度情報と、前記品目情報とを取得し、
前記状況取得手段は、
前記条件取得手段の取得に基づき、前記品目情報に対応する前記物品の複数の表示条件に係わる前記在庫関連状況情報を取得し、
前記表示手段は、
前記状況取得手段の取得結果に基づく在庫関連状況と、前記条件取得手段の取得による表示条件とに基づき、前記物品取扱者による作成が予想される複数の前記無線タグ種別を、前記優先度情報に沿った態様で表示する
ことを特徴とする請求項４記載のタグ発行管理システム。
【請求項６】
前記条件取得手段は、
少なくとも、前記物品の在庫数の昇順表示を内容とする前記表示条件情報を取得し、
前記状況取得手段は、
少なくとも、前記在庫関連状況情報としての前記物品の在庫数を取得し、
前記表示手段は、
前記状況取得手段で取得した在庫数と、前記条件取得手段の取得による表示条件とに基づき、前記無線タグ種別を、対応する前記物品の在庫数が少ない順で表示する
ことを特徴とする請求項１乃至請求項５のいずれか１項記載のタグ発行管理システム。
【請求項７】
前記条件取得手段は、
少なくとも、所定の仕向先に対応する前記物品の在庫の有無に基づく表示を内容とする前記表示条件情報を取得し、
前記状況取得手段は、
少なくとも、前記在庫関連状況情報としての前記物品の仕向先情報を取得し、
前記表示手段は、
前記状況取得手段で取得した前記仕向先情報と、前記条件取得手段の取得による表示条件とに基づき、前記無線タグ種別を、前記所定の仕向先に対応する在庫が無い前記物品から表示する
ことを特徴とする請求項１乃至請求項５のいずれか１項記載のタグ発行管理システム。
【請求項８】
前記物品の在庫情報及び出荷先情報の少なくともいずれかを格納した前記第２記憶手段としての物品用データベースを有し、
前記状況取得手段は、前記物品用データベースにアクセスして、前記物品の在庫数及び出荷先情報の少なくともいずれかを取得し、
前記表示手段の表示に基づき、当該表示された物品に対し前記物品取扱者により前記物品用無線タグが発行されたら、前記物品用データベースにアクセスして情報を更新するデータベース更新手段を有する
ことを特徴とする請求項６又は請求項７記載の無線タグ発行管理システム。
【請求項９】
前記表示手段は、
前記物品取扱者による作成が予想される前記無線タグ種別の外観イメージを表示する
ことを特徴とする請求項１乃至請求項８のいずれか１項記載のタグ発行管理システム。
【発明の詳細な説明】
【技術分野】
【０００１】
本発明は、物品の出荷関連作業を行う物品取扱者が物品に設置するタグを発行するためのタグ発行管理システムに関する。
【背景技術】
【０００２】
近年、情報を記憶する無線タグと無線タグ通信装置との間で非接触で情報の送受信を行うＲＦＩＤ（Ｒａｄｉｏ  Ｆｒｅｑｕｅｎｃｙ  Ｉｄｅｎｔｉｆｉｃａｔｉｏｎ）システムが様々な分野において実用化されている。例えば物流分野においては、倉庫等における物品の入出荷関連作業にＲＦＩＤシステムが適用されている。この場合、管理対象である各物品にそれぞれ無線タグが設置され、それらの無線タグに対し無線タグ通信装置により情報の読み取りを行うことで、物品の入出荷の管理等が行われる。
【０００３】
上記無線タグを発行する無線タグ発行装置の従来技術としては、例えば特許文献１に記載のものがある。この無線タグ発行装置（タグラベル作成装置）では、無線タグの一例である無線タグラベルの作成に用いられるカートリッジのカートリッジ情報を取得し、この取得したカートリッジ情報に応じ、印字手段の印字内容に関して複数設定されたテンプレートの中から対応する少なくとも１つを表示手段（ディスプレイ）に表示させる。これにより、操作者はテンプレート内のテキスト等の入力を行うだけで、その他の固定印字領域（枠線や図柄等）の面倒な設定操作を行うことなく、所望の印字を行って無線タグを発行することを可能としている。
【先行技術文献】
【特許文献】
【０００４】
【特許文献１】特開２００７−２１７３２号公報
【発明の概要】
【発明が解決しようとする課題】
【０００５】
ここで、例えば上述した物品の入出荷関連作業等にＲＦＩＤシステムを用いる場合、入出荷される物品の種類はある程度決まっているのが一般的であるため、操作者が発行する無線タグもある程度の種別に限定される。このとき、上記従来技術の無線タグ発行装置では、カートリッジを選択することによりテンプレート中の固定印字領域については自動的に設定されるが、テンプレート内のテキストについては操作者による入力が必要である。このため、上記のように決まった種別の無線タグを発行する場合でも、操作者は各タグの発行の都度テキストの入力を行う必要があり、タグ発行に必要な操作労力が多大なものとなっていた。
【０００６】
本発明の目的は、タグ発行に必要な操作労力を大幅に低減できると共に、物品取扱者の作業効率を大きく向上することができるタグ発行管理システムを提供することにある。
【課題を解決するための手段】
【０００７】
上記目的を達成するために、第１の発明は、管理対象である物品の在庫関連状況に関する、前記物品に設置される物品用無線タグの発行に際し表示手段で無線タグ種別を表示する場合に各物品取扱者の表示条件情報を第１記憶手段より取得する条件取得手段と、前記条件取得手段の取得による表示条件に係わる在庫関連状況情報を第２記憶手段より取得する状況取得手段と、前記状況取得手段の取得に基づく在庫関連状況と、前記条件取得手段の取得による表示条件とに基づき、前記物品取扱者による作成が予想される無線タグ種別を表示する前記表示手段と、前記表示手段の表示に対応した、特定の前記無線タグ種別への前記物品取扱者の発行指示に基づき、当該種別の物品用無線タグを発行するタグ発行手段とを有することを特徴とする。
【０００８】
本願第１発明のタグ発行管理システムは、物品の出荷関連作業を行う物品取扱者が、物品に設置するタグを発行操作する際の利便性を向上するものである。すなわち、管理対象である物品の在庫関連状況に応じて物品取扱者が物品用無線タグを発行する際、例えば各物品取扱者ごとに、取扱物品の品目や従事する取扱作業において一定のパターンが存在する場合がある。このような場合、本願第１発明では、そのパターンに対応するように、物品用無線タグの発行に際し表示手段で無線タグ種別を表示する場合における表示条件が各物品取扱者ごとに予め設定され第１記憶手段に記憶されている。その設定に対応した表示条件情報は条件取得手段によって第１記憶手段より取得され、状況取得手段はその取得結果に応じて（言い換えれば各物品取扱者の上記取扱作業パターンに合致するように）在庫関連状況情報を第２記憶手段より取得する。この取得に基づく在庫関連状況と、上記表示条件とに基づき、各物品取扱者が作成するであろう物品用無線タグの種別が予想され、表示手段に表示される。物品取扱者が、上記のようにして表示手段に表示された無線タグ種別の１つを特定しタグ発行を指示すると、これに応じて、タグ発行手段によって、当該種別の物品用無線タグが発行される。
【０００９】
以上のように、本願第１発明においては、現在の物品の在庫関連状況に応じて、各物品取扱者の取扱作業パターンに最も合致するような無線タグ種別が自動的に表示手段に表示される。これにより、物品取扱者は、当該表示されたタグ種別を特定しタグ発行を指示するだけで、その時点で自己が作成すべき無線タグを容易に発行することができる。この結果、タグ発行に必要な操作労力を大幅に低減できると共に、物品取扱者の作業効率を大きく向上することができる。
【００１０】
第２発明のタグ発行管理システムは、上記第１発明において、前記条件取得手段は、前記物品取扱者の前記表示条件情報を記憶した前記第１記憶手段としての物品取扱者用データベースにアクセスして前記表示条件情報を取得することを特徴とする。
【００１１】
本願第２発明においては、予め各物品取扱者の表示条件情報を物品取扱者用データベースに記憶しておく。これにより、タグ発行の際に、条件取得手段により物品取扱者用データベースにアクセスして容易に表示条件情報を取得することができる。この結果、手動操作等により、いちいち各物品取扱者の表示条件を設定入力する必要がなくなり、作業効率を向上することができる。また、無線タグに表示条件情報を記憶させる場合に比べて記憶容量が大幅に増大するので、データ容量を気にすることなく情報を記憶させることができる。
【００１２】
第３発明のタグ発行管理システムは、上記第１発明において、前記条件取得手段は、前記物品取扱者に付随され当該物品取扱者の前記表示条件情報を記憶した前記第１記憶手段の物品取扱者用無線タグより、無線通信により前記表示条件情報を取得することを特徴とする。
【００１３】
本願第３発明においては、各物品取扱者ごとに、予め表示条件情報を記憶した物品取扱者用無線タグを用意しておく。これにより、タグ発行の際に、当該物品取扱者用無線タグに対し条件取得手段により情報読み取りを行うだけで、容易に表示条件情報を取得することができる。この結果、手動操作等により、いちいち各物品取扱者の表示条件を設定入力する必要がなくなり、作業効率を向上することができる。
【００１４】
第４発明のタグ発行管理システムは、上記第２又は第３発明において、前記物品取扱者用無線タグ又は前記物品取扱者用データベースには、前記物品取扱者が取り扱う品目情報が記憶されており、前記条件取得手段は、前記物品取扱者用無線タグ又は前記物品取扱者用データベースより前記表示条件情報と前記品目情報とを取得し、前記状況取得手段は、前記品目情報に対応する前記物品の前記在庫関連状況情報を取得することを特徴とする。
【００１５】
これにより、各物品取扱者が担当する物品品目に絞って現在の在庫関連状況情報を取得し、その取得結果に応じ取扱作業パターンに合致するような無線タグ種別を表示手段に表示させることができるので、さらに作業効率の向上を図ることができる。
【００１６】
第５発明のタグ発行管理システムは、上記第４発明において、前記物品取扱者用無線タグ又は前記物品取扱者用データベースは、複数の前記表示条件情報をそれぞれの優先度情報と共に記憶しており、前記条件取得手段は、前記複数の表示条件情報及び対応する前記優先度情報と、前記品目情報とを取得し、前記状況取得手段は、前記条件取得手段の取得に基づき、前記品目情報に対応する前記物品の複数の表示条件に係わる前記在庫関連状況情報を取得し、前記表示手段は、前記状況取得手段の取得結果に基づく在庫関連状況と、前記条件取得手段の取得による表示条件とに基づき、前記物品取扱者による作成が予想される複数の前記無線タグ種別を、前記優先度情報に沿った態様で表示することを特徴とする。
【００１７】
これにより、各物品取扱者ごとに、１つの表示条件ではなく複数の表示条件を設定し、それぞれに優先順位をつけた形で複数の表示条件を使い分けたり組み合わせて使うことが可能となる。したがって、各物品取扱者の取扱作業パターンに合致するような無線タグ種別を表示手段に表示させる際、さらにきめ細かな表示により多彩な利用が可能となる。この結果、利便性をさらに向上できると共に、システムの応用性・拡張性を高めることができる。
【００１８】
第６発明のタグ発行管理システムは、上記第１乃至第５発明のいずれかにおいて、前記条件取得手段は、少なくとも、前記物品の在庫数の昇順表示を内容とする前記表示条件情報を取得し、前記状況取得手段は、少なくとも、前記在庫関連状況情報としての前記物品の在庫数を取得し、前記表示手段は、前記状況取得手段で取得した在庫数と、前記条件取得手段の取得による表示条件とに基づき、前記無線タグ種別を、対応する前記物品の在庫数が少ない順で表示することを特徴とする。
【００１９】
これにより、物品取扱者が例えば在庫補充担当者等であった場合に、在庫が少なくなった物品の無線タグを次に発行するであろうことを見越して、当該物品に対応したタグ種別をいち早く表示手段に表示し、タグ発行指示の利便性を向上することができる。
【００２０】
第７発明のタグ発行管理システムは、上記第１乃至第５発明のいずれかにおいて、前記条件取得手段は、少なくとも、所定の仕向先に対応する前記物品の在庫の有無に基づく表示を内容とする前記表示条件情報を取得し、前記状況取得手段は、少なくとも、前記在庫関連状況情報としての前記物品の仕向先情報を取得し、前記表示手段は、前記状況取得手段で取得した前記仕向先情報と、前記条件取得手段の取得による表示条件とに基づき、前記無線タグ種別を、前記所定の仕向先に対応する在庫が無い前記物品から表示することを特徴とする。
【００２１】
これにより、所定の仕向先に対応する在庫が無い物品の無線タグを次に発行するであろうことを見越して、当該仕向先への出荷に対応したタグ種別をいち早く表示手段に表示し、タグ発行指示の利便性を向上することができる。
【００２２】
第８発明のタグ発行管理システムは、上記第６又は第７発明において、前記物品の在庫情報及び出荷先情報の少なくともいずれかを格納した前記第２記憶手段としての物品用データベースを有し、前記状況取得手段は、前記物品用データベースにアクセスして、前記物品の在庫数及び出荷先情報の少なくともいずれかを取得し、前記表示手段の表示に基づき、当該表示された物品に対し前記物品取扱者により前記物品用無線タグが発行されたら、前記物品用データベースにアクセスして情報を更新するデータベース更新手段を有することを特徴とする。
【００２３】
これにより、新規に入荷して物品用無線タグの発行が行われた物品について、在庫数が増えたことを物品用データベースに記録して更新することができる。この結果、当該在庫数が増えた物品については、次に無線タグ発行となる可能性が低くなることから、それ以外の在庫数が少ない物品に対応したタグ種別を表示手段に表示する等、刻々と変動する状況に応じて的確でタイムリーな表示を行うことができる。また、新規に入荷して物品用無線タグの発行が行われた物品について、当該物品の出荷先を物品用データベースに記録して更新することができる。この結果、当該出荷先として新たに記録された輸出国については、次に無線タグ発行となる可能性が低くなることから、それ以外の未出荷である輸出国への出荷に対応したタグ種別を表示手段に表示する等、刻々と変動する状況に応じて的確でタイムリーな表示を行うことができる。
【００２４】
第９発明のタグ発行管理システムは、上記第１乃至第８発明のいずれかにおいて、前記表示手段は、前記物品取扱者による作成が予想される前記無線タグ種別の外観イメージを表示することを特徴とする。
【００２５】
これにより、現在の在庫関連状況に応じて、各物品取扱者の取扱作業パターンに合致するような無線タグ種別が表示手段に表示されたとき、物品取扱者は、実際に作成される無線タグの実物に近い外観イメージによって、わかりやすくタグ種別を視覚的に認識し、さらにタグ種別を特定して発行指示することができる。
【発明の効果】
【００２６】
本発明によれば、タグ発行に必要な操作労力を大幅に低減できると共に、物品取扱者の作業効率を大きく向上することができる。
【図面の簡単な説明】
【００２７】
【図１】本実施形態のタグ発行管理システムの全体構成を表すシステム構成図である。
【図２】タグ発行管理システムのシステム全体の機能構成を概念的に表す機能ブロック図である。
【図３】無線タグ作成装置の機能構成を表す機能ブロック図である。
【図４】ＲＦＩＤリーダの高周波回路の詳細構成を表す機能ブロック図である。
【図５】管理者タグ及び物品タグに備えられる無線タグ回路素子の機能的構成の一例を表す機能ブロック図である。
【図６】管理者タグの発行時に操作端末の表示部に表示される管理者タグ発行画面の一例を表す図である。
【図７】管理者タグの発行が行われた際に、管理者用データベースに登録される管理者テーブルの一例を表す図である。
【図８】在庫データベースに登録されている在庫テーブルの一例を表す図である。
【図９】表示条件及び在庫関連状況に基づき、操作端末の表示部に表示される物品タグプレビュー画面の一例を表す図である。
【図１０】在庫データベースに登録されている在庫テーブルの他の例を表す図である。
【図１１】在庫データベースに登録されているカスタムテーブルの一例を表す図である。
【図１２】操作端末の表示部に表示される物品タグのテンプレートのプレビュー表示の他の例を表す図である。
【図１３】在庫データベースに登録されている在庫テーブルの他の例を表す図である。
【図１４】表示条件及び在庫関連状況に基づき、操作端末の表示部に表示される物品タグプレビュー画面の他の例を表す図である。
【図１５】管理者タグの発行時に操作端末の制御回路によって実行される制御内容を表すフローチャートである。
【図１６】物品タグの発行時に操作端末の制御回路によって実行される制御内容を表すフローチャートである。
【図１７】ステップＳ２００のテンプレート表示処理の詳細内容を表すフローチャートである。
【図１８】ステップＳ３００のテンプレートの新規登録処理の詳細内容を表すフローチャートである。
【図１９】無線タグ作成装置が管理者タグ又は物品タグを発行する際に制御回路によって実行される制御内容を表すフローチャートである。
【図２０】複数の表示条件を設定する変形例における、管理者タグの発行時に操作端末の表示部に表示される管理者タグ発行画面の一例を表す図である。
【発明を実施するための形態】
【００２８】
以下、本発明の一実施の形態を図面を参照しつつ説明する。
【００２９】
図１は、本実施形態のタグ発行管理システムＴＳの全体構成を表すシステム構成図である。
【００３０】
図１において、タグ発行管理システムＴＳは、管理対象である物品Ａの入出荷に関連する作業を行う管理者（物品取扱者）が、物品Ａに設置する物品タグＴａを発行操作する際の利便性を向上するものである。このタグ発行管理システムＴＳは、ＰＣ等の操作端末１００と、この操作端末１００と端末間無線通信（例えばＢｌｕｅｔｏｏｔｈ（登録商標）等。図中破線ＢＴで示す）により情報入出力可能に接続されたＲＦＩＤリーダ２００と、サーバ３００と、情報を記憶するＩＣ回路部１５０及びタグアンテナ１５１を備えた無線タグ回路素子Ｔｏを有する管理者タグＴｐ及び物品タグＴａを作成（以下適宜「発行」と称する）する無線タグ作成装置４００とを有している。上記操作端末１００、サーバ３００、及び無線タグ作成装置４００は、有線あるいは無線のネットワークＮＷ（例えばＬＡＮ、無線ＬＡＮ等）を介して情報入出力可能に接続されている。
【００３１】
操作端末１００は、無線タグ作成装置４００で管理者タグＴｐ及び物品タグＴａを発行する際の各種設定及び発行指令等を行うための端末であり、液晶ディスプレイ等の表示部１０１及びマウスやキーボード等で構成される操作部１０２を備えている。詳細は後述するが、表示部１０１では、物品Ａの在庫関連状況と表示条件とに基づき、管理者による発行が予想される物品タグＴａのテンプレート（無線タグ種別）を表示する。ここで、「在庫関連状況」とは、具体的には例えば物品Ａの在庫数や、所定の仕向先（出荷輸出国等）に対応する在庫の有無、又は受注数等の状況を指すものである。以下、この在庫関連状況に関する情報を「在庫関連状況情報」と称する。また「表示条件」とは、物品Ａの上記在庫関連状況に関する、物品Ａに設置される物品タグＴａの発行に際し操作端末１００の表示部１０１でテンプレートを表示する際における表示の条件であり、具体的には例えば物品Ａの在庫数の昇順表示を内容とするもの（在庫数の少ないものを優先表示）や、所定の仕向先に対応する物品Ａの在庫の有無に基づく表示を内容とするもの（所定の仕向先が登録された在庫が存在又は不存在であるものを優先表示）、又は物品Ａの受注数の降順表示を内容とするもの（受注数が多いものを優先表示）等が一例として挙げられる。この表示条件は、各管理者ごとに設定される。以下、この表示条件に関する情報を「表示条件情報」と称する。なお、上記内容は一例であり、在庫関連状況や表示条件としてその他の内容を加えてもよい。
【００３２】
管理者タグＴｐ及び物品タグＴａ（物品用無線タグ）は、所定の情報（本実施形態ではタグＩＤ）を記憶するＩＣ回路部１５０と情報を送受信するタグアンテナ１５１とを備えた無線タグ回路素子Ｔｏ（後述の図５等参照）を有する無線タグであり、上述したように無線タグ作成装置４００により発行される。管理者タグＴｐ（物品取扱者用無線タグ）は管理者に付随される無線タグであり、物品タグＴａは管理対象となる物品Ａに設置される無線タグである。物品タグＴａは、操作端末１００の表示部１０１の表示に対応した、特定のテンプレートに対する管理者の発行指示に基づき、無線タグ作成装置４００により発行される。
【００３３】
ＲＦＩＤリーダ２００は、各種表示を行う表示部２０１と、操作者が各種操作入力を行うための操作部２０２とを備えており、上記管理者タグＴｐに対して無線通信により情報読み取りを行うものである。このＲＦＩＤリーダ２００により取得された管理者タグＴｐのタグＩＤ（以下適宜「管理者ＩＤ」と称する）は、端末間無線通信を介して操作端末１００に送信される。
【００３４】
図２は、タグ発行管理システムＴＳのシステム全体の機能構成を概念的に表す機能ブロック図である。
【００３５】
図２において、操作端末１００は、各種操作画面や入力画面等の表示を行うための上記表示部１０１と、操作者が操作入力を行うための上記操作部１０２と、サーバ３００及び無線タグ作成装置４００との間でネットワークＮＷを介して行われるネットワーク通信の制御を行うネットワーク通信制御部１０３と、ＲＦＩＤリーダ２００との間で行われる端末間無線通信の制御を行う端末間通信制御部１０４と、上記表示部１０１、ネットワーク通信制御部１０３、及び端末間通信制御部１０４を含む操作端末１００全体の動作を制御する制御回路１０５とを有する。
【００３６】
ＲＦＩＤリーダ２００は、各種表示を行う上記表示部２０１と、操作者が各種操作入力を行うための上記操作部２０２と、管理者タグＴｐの無線タグ回路素子Ｔｏとの間で無線通信により情報送受信を行うリーダアンテナ２０３と、このリーダアンテナ２０３を介し無線タグ回路素子ＴｏのＩＣ回路部１５０へ無線通信によりアクセスすると共に、その無線タグ回路素子Ｔｏから読み出された信号を処理する高周波回路２０４と、操作端末１００との間で行われる端末間無線通信の制御を行う端末間通信制御部２０５と、上記表示部２０１、高周波回路２０４、及び端末間通信制御部２０５を含むＲＦＩＤリーダ２００全体の制御を行う制御回路２０６とを有する。
【００３７】
サーバ３００は、管理者用データベース３０１及び在庫データベース３０２と、操作端末１００等との間でネットワークＮＷを介して行われるネットワーク通信の制御を行うネットワーク通信制御部３０３と、上記データベース３０１，３０２と情報を入出力可能に接続され、サーバ３００全体の制御を行う制御回路３０４とを有する。
【００３８】
管理者用データベース３０１（第１記憶手段、物品取扱者用データベース）には、予め管理者タグＴｐを発行する際に、管理者ＩＤと各管理者ごとの上記表示条件情報及び管理者が取り扱う物品Ａの品目情報が関連付けられて登録されている（後述の図７参照）。これにより、物品タグＴａ発行の際に、操作端末１００の制御回路１０５は、ＲＦＩＤリーダ２００によって管理者タグＴｐより取得された管理者ＩＤをキーとして管理者用データベース３０１にアクセスし、当該管理者に対応する表示条件情報及び品目情報を取得することができる。
【００３９】
また在庫データベース３０２（第２記憶手段、物品用データベース）には、予め各品目ごとに物品Ａの在庫テーブル（後述の図８等参照）が登録されている。この在庫テーブルは、各物品Ａごとの物品ＩＤ及び物品情報（物品名称等）と、上記在庫関連状況情報（在庫数、仕向先情報、受注数等）を含むものである。これにより、物品タグＴａ発行の際に、操作端末１００の制御回路１０５は、上記取得した品目情報をキーとして在庫データベース３０２にアクセスし、当該品目に対応する在庫関連状況情報を取得することができる。
【００４０】
図３は、上記無線タグ作成装置４００の機能構成を表す機能ブロック図である。
【００４１】
図３において、無線タグ作成装置４００は、上述したように管理者タグＴｐ及び物品タグＴａを作成する機能を備えている。この無線タグ作成装置４００は、所定間隔で無線タグ回路素子Ｔｏが備えられたタグテープ４０３を巻回したタグテープロール４０４（本来は渦巻状であるが簡略化して同心円で図示している）又はこれを備えたカートリッジ（図示せず）を着脱可能なカートリッジホルダ４０６と、上記タグテープロール４０４から繰り出されたタグテープ４０３のうち各無線タグ回路素子Ｔｏに対応した領域に所定の印字を行う印字ヘッド４０５と、タグテープ４０３を搬送する搬送ローラ４０８と、タグテープ４０３に備えられる無線タグ回路素子Ｔｏとの間で無線通信により情報の送受信を行い無線タグ情報の書き込みを行う装置アンテナ４０１及び高周波回路４０２と、タグテープ４０３への印字及び無線タグ回路素子Ｔｏへの情報書き込みが終了したタグテープ４０３を所定の長さに切断して管理者タグＴｐ又は物品タグＴａとするカッタ４０７と、操作端末１００との間でネットサークＮＷを介して行われるネートワーク通信の制御を行うネットワーク通信制御部４０９と、以上の高周波回路４０２、印字ヘッド４０５、カッタ４０７、搬送ローラ４０８、及びネットワーク通信制御部４０９等を含む無線タグ作成装置４００全体の動作制御を行う制御回路４１０とを有する。
【００４２】
図４は、ＲＦＩＤリーダ２００の高周波回路２０４の詳細構成を表す機能ブロック図である。
【００４３】
この図４において、高周波回路２０４は、リーダアンテナ２０３を介し管理者タグＴｐの無線タグ回路素子ＴｏのＩＣ回路部１５０の情報へアクセスするものであり、またＲＦＩＤリーダ２００の制御回路２０６は管理者タグＴｐの無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００４４】
高周波回路２０４は、リーダアンテナ２０３を介し管理者タグＴｐの無線タグ回路素子Ｔｏに対して信号を送信する送信部１４２と、リーダアンテナ２０３により受信された無線タグ回路素子Ｔｏからの応答波を入力する受信部１４３と、送受分離器１４４とから構成される。
【００４５】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１３３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路２０６から供給される信号に基づいて上記発生させられた搬送波を変調（この例では制御回路２０６からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路２０６からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記送信アンプ１４７の出力は、送受分離器１４４を介しリーダアンテナ２０３に伝達されて無線タグ回路素子ＴｏのＩＣ回路部１５０に供給される。なお、質問波は上記のように変調した信号（変調波）に限られず、単なる搬送波のみの場合もある。
【００４６】
受信部１４３は、リーダアンテナ２０３で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記リーダアンテナ２０３で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路２０６に入力されて処理される。
【００４７】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路２０６に入力される。これにより、ＲＦＩＤリーダ２００では、無線タグ回路素子Ｔｏとの通信時における当該無線タグ回路素子Ｔｏからの信号の受信強度を検出することが可能となっている。
【００４８】
なお、以上では説明しなかったが、前述の無線タグ作成装置４００の高周波回路４０２についても、上記ＲＦＩＤリーダ２００の高周波回路２０４と同様の構成となっている。
【００４９】
図５は、管理者タグＴｐ及び物品タグＴａ（タグテープ４０３）に備えられる無線タグ回路素子Ｔｏの機能的構成の一例を表す機能ブロック図である。
【００５０】
この図５において、無線タグ回路素子Ｔｏは、上述したようにＲＦＩＤリーダ２００のリーダアンテナ２０３（又は無線タグ作成装置４００の装置アンテナ４０１）と非接触で信号の送受信を行う上記タグアンテナ１５１と、このタグアンテナ１５１に接続された上記ＩＣ回路部１５０とを有している。
【００５１】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５２】
変復調部１５６は、タグアンテナ１５１により受信されたＲＦＩＤリーダ２００のリーダアンテナ２０３（又は無線タグ作成装置４００の装置アンテナ４０１）からの質問波の復調を行い、また、上記制御部１５７からの返信信号を変調し、タグアンテナ１５１より応答波（タグＩＤを含む信号）として送信する。
【００５３】
クロック抽出部１５４は受信した信号からクロック成分を抽出し、当該クロック成分の周波数に対応したクロックを制御部１５７に供給する。
【００５４】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５５】
以上のような構成であるタグ発行管理システムＴＳにおいては、次のような手順で無線タグＴｐ，Ｔａが発行される。すなわち、まず管理者は、操作端末１００において管理対象とする物品Ａの品目情報及び表示条件情報を設定してタグ発行指示を行う。これにより、無線タグ作成装置４００において、無線タグ回路素子ＴｏのＩＣ回路部１５０に管理者ＩＤを記憶した管理者タグＴｐが発行されると共に、当該管理者ＩＤと対応する表示条件情報及び品目情報とが関連付けられて管理者用データベース３０１に登録される。
【００５６】
次に物品タグＴａを発行する際には、管理者はＲＦＩＤリーダ２００を用いて管理者タグＴｐに対し情報読み取りを行う。これにより、取得された管理者ＩＤは、ＲＦＩＤリーダ２００より端末間無線通信を介して操作端末１００に送信され、操作端末１００の制御回路１０５は、当該管理者ＩＤをキーとして管理者用データベース３０１にアクセスし、当該管理者に対応する表示条件情報及び品目情報を取得する。さらに、取得した品目情報をキーとして在庫データベース３０２にアクセスし、当該品目に対応する在庫関連状況情報を取得し、当該在庫関連状況情報に含まれる在庫数、仕向先情報、受注数等を取得する。そして、操作端末１００の制御回路１０５は、上記取得に基づく表示条件と在庫関連状況（在庫数、所定の仕向先に対応する在庫の有無、受注数等）とに基づき、管理者による作成が予想される物品タグＴａのテンプレートを、表示部１０１にプレビュー表示させる。
【００５７】
管理者が表示部１０１にプレビュー表示されたテンプレートの中から所望のテンプレートを選択すると、無線タグ作成装置４００において、当該テンプレートに対応する印刷が行われ、且つ対応する物品ＩＤが記憶された物品タグＴａが発行されると共に、当該物品ＩＤと対応する物品情報（物品名称等）とが関連付けられて在庫データベース３０２に登録される。
【００５８】
次に、上述のようにして行われる無線タグの作成手順の詳細について説明する。
【００５９】
図６は、管理者タグＴｐの発行時に操作端末１００の表示部１０１に表示される管理者タグ発行画面１０の一例を表す図である。
【００６０】
図６において、管理者タグ発行画面１０は、品目選択部１１、優先項目選択部１２，１３、氏名入力部１４、テザインテンプレート選択部１５、プレビュー部１６、タグ発行操作部１７、及びキャンセル操作部１８を有している。品目選択部１１は、管理対象である物品Ａの品目を設定するためのものであり、図中２１に示すプルダウンメニューの中から所望の品目を選択することにより、品目が設定される。図６に示す例では、「プリンタ」、「スキャナ」、及び「ファックス」の３つの品目の中から「プリンタ」が選択されている。
【００６１】
優先項目選択部１２，１３は、前述した表示条件情報に相当する優先項目を設定するものであり、図中２２に示すプルダウンメニューの中から所望の項目を選択することにより、管理者が表示条件とする優先項目が設定される。図６に示す例では、「在庫数」、「仕向け」、及び「受注数」の３つの項目の中から「在庫数」が選択されている。優先項目（表示条件情報）として「在庫数」が選択された場合には、表示条件は、在庫数が少ない物品Ａを優先して表示する内容となる。また「仕向け」が選択された場合には、表示条件は、所定の仕向先が登録されている在庫が存在又は不存在である物品Ａを優先して表示する内容となる。また「受注数」が選択された場合には、表示条件は、受注数が多い物品Ａを優先して表示する内容となる。なお、これら以外の優先項目を設定したい場合には、図示しない直接入力画面において管理者が優先項目を直接入力できるようにしてもよい。
【００６２】
また、図６に示す例では優先項目が１つだけ選択されているが、複数（この例では２つ）の優先項目を設定することも可能である。その場合、優先項目選択部１２で設定された優先項目が優先度１、優先項目選択部１３で設定された優先項目が優先度２となり、前者の項目の方を後者よりも優先して表示条件が設定される。
【００６３】
氏名入力部１４は、管理者が操作部１０２を用いて氏名を直接入力するためのものである。またテザインテンプレート選択部１５は、予め用意された管理者タグＴｐ用の複数のデザインテンプレートの中から管理者が所望のテンプレートを選択するためのものである。当該デザインテンプレート選択部１５が操作されると、例えば別画面に複数のテンプレート情報が一覧表示され、その中から所望のテンプレートを選択可能となっている。
【００６４】
プレビュー部１６には、上記品目選択部１１、氏名入力部１４、及びテザインテンプレート選択部１５による設定内容が反映された管理者タグＴｐの外観イメージ画像がプレビュー表示される。管理者がプレビュー表示を確認した上でタグ発行操作部１７を操作すると、操作端末１００より無線タグ作成装置４００に対しネットワークＮＷを介してタグ発行指令が送信される。なおこのとき、上記プレビュー表示に対応した印刷データについても送信される。これにより、無線タグ作成装置４００において、無線タグ回路素子ＴｏのＩＣ回路部１５０に管理者ＩＤが書き込まれ、且つプレビュー表示されたイメージ画像に対応した印刷が行われた管理者タグＴｐが発行される。なお、キャンセル操作部１８は、管理者タグＴｐの発行操作をキャンセルするためのものである。
【００６５】
図７は、上述したような管理者タグ発行画面による設定に基づき管理者タグＴｐの発行が行われた際に、管理者用データベース３０１に登録される管理者テーブルの一例を表す図である。この図７に示すように、管理者テーブルには、各管理者に対応する管理者ＩＤと、各管理者が取り扱う物品Ａの品目情報と、各管理者ごとの表示条件情報としての優先項目が、それぞれ関連付けられて登録されている。
【００６６】
図８は、在庫データベース３０２に登録されている在庫テーブルの一例を表す図である。この図８に示す例は、上述した図７の管理者テーブル中の一番上の管理者（管理者ＩＤ「０００００００００００１」）に対応するものである。したがって、品目「プリンタ」に対応する在庫テーブルとなっており、この在庫テーブルには優先項目「在庫数」に係わる在庫関連状況情報として各物品名ごとの在庫数情報が含まれている。この例では、プリンタＡ，Ｂ，Ｃの順で在庫数が少なく、それぞれ在庫数が２，３，５台となっている。
【００６７】
図９は、表示条件及び在庫関連状況に基づき、操作端末１００の表示部１０１に表示される物品タグプレビュー画面３０の一例を表す図である。
【００６８】
この図９に示す例は、上述した図７の管理者テーブル中一番上の管理者に対応し、且つ図８に示す在庫テーブルに対応するものである。すなわち、優先項目として「在庫数」が選択されているため、在庫数が少ない物品Ａが優先して表示される。したがって、在庫数の少ない順にプリンタＡ，Ｂ，Ｃの順番で物品タグＴａの外観イメージ画像であるテンプレートのプレビュー表示がなされる。この例では、各プリンタＡ，Ｂ，Ｃに対応するテンプレートが１頁ずつ表示されるようになっており、図９（ａ）に示すように１頁目には最も在庫数の少ないプリンタＡ、図９（ｂ）に示すように２頁目には次に在庫数の少ないプリンタＢ、図９（ｃ）に示すように３頁目には最も在庫数の多いプリンタＣに対応するテンプレートがプレビュー表示されている。
【００６９】
なお、頁の切替えは例えば矢印操作部３１を操作することによって行われ、所望のテンプレートが表示された状態で決定操作部３２が操作されると当該テンプレートが選択される。また、物品タグＴａのテンプレートを新規に作成して登録する場合には、新規作成操作部３５を操作することにより、管理者は新規にテンプレートを編集して登録することが可能となっている（後述の図１８参照）。
【００７０】
なお、上記において、例えば在庫数が等しく表示の優先度が同一である物品が存在する場合には、例えば在庫データベース３０２（在庫テーブル）に情報が格納されている順番に表示するようにしてもよい。
【００７１】
図１０は、在庫データベース３０２に登録されている在庫テーブルの他の例を表す図である。この図１０に示す例は、上述した図７の管理者テーブル中の２番目の管理者（管理者ＩＤ「０００００００００００２」）に対応するものである。したがって、品目「スキャナ」に対応する在庫テーブルとなっており、この在庫テーブルには優先項目「仕向け」に係わる在庫関連状況情報として各物品Ａごとの仕向先情報が含まれている。この例では、スキャナＡについては米国と欧州、スキャナＢについては欧州と日本、スキャナＣについては米国と日本が仕向先として登録されている。なお、この仕向先が登録された物品Ａには、実際に出荷するものに限らず、例えばデバッグ目的等で管理しているものも含むものである。
【００７２】
図１１は、在庫データベース３０２に登録されているカスタムテーブルの一例を表す図である。
【００７３】
このカスタムテーブルは、優先項目が「仕向け」に設定される場合に必要なテーブルであり、予め管理者によって登録されるものである。このテーブルには、仕向先（複数の場合はその優先度を含む）及び当該仕向先が登録された在庫が存在する物品若しくは存在しない物品のいずれを優先するかが登録されている。例えば、「存在」の場合には当該仕向先が登録されている在庫が存在する物品Ａを優先して表示し、「不存在」の場合には当該仕向先が登録されている在庫が存在しない物品Ａを優先して表示する。この図１１に示す例では、仕向先の優先度が日本、米国、欧州の順で高く設定されており、且つ、それぞれの仕向先について「不存在」を優先するように設定されている。すなわちこの例では、仕向先として日本が登録された在庫がない物品、仕向先として米国が登録された在庫がない物品、仕向先として欧州が登録された在庫がない物品の順に優先して表示する。
【００７４】
図１２は、操作端末１００の表示部１０１に表示される物品タグＴａのテンプレートのプレビュー表示の他の例を表す図である。
【００７５】
この図１２に示す例は、上述した図１０及び図１１に対応するものである。すなわち、上述したように仕向先として日本が登録された在庫がない物品、仕向先として米国が登録された在庫がない物品、仕向先として欧州が登録された在庫がない物品の順に優先表示するため、仕向先として日本が登録された在庫がないスキャナＡ、仕向先として米国が登録された在庫がないスキャナＢ、仕向先として欧州が登録された在庫がないスキャナＣの順に物品タグＴａのテンプレートのプレビュー表示がなされる。この例では、各スキャナＡ，Ｂ，Ｃが上記順番に応じて１頁にまとめて表示されている。なお、テンプレートの選択は例えばカーソル３３を移動することによって行われ、所望のテンプレート上にカーソル３３が移動された状態で決定操作部３２が操作されると当該テンプレートが選択される。
【００７６】
図１３は、在庫データベース３０２に登録されている在庫テーブルの他の例を表す図である。この図１３に示す例は、上述した図７の管理者テーブル中の３番目の管理者（管理者ＩＤ「０００００００００００３」）に対応するものである。したがって、品目「ファックス」に対応する在庫テーブルとなっており、この在庫テーブルには優先項目「受注数」に係わる在庫関連状況情報として各物品名ごとの受注数情報が含まれている。この例では、ファックスＡ，Ｂ，Ｃの順で受注数が多く、それぞれ受注数が１５，２，０台となっている。
【００７７】
図１４は、表示条件及び在庫関連状況に基づき、操作端末１００の表示部１０１に表示される物品タグプレビュー画面３０の他の例を表す図である。
【００７８】
この図１４に示す例は、上述した図７の管理者テーブル中３番目の管理者に対応し、且つ図１３に示す在庫関連状況情報に対応するものである。すなわち、優先項目として「受注数」が選択されているため、受注数が多い物品Ａが優先して表示される。したがって、受注数の多い順にファックスＡ，Ｂ，Ｃの順番で物品タグＴａのテンプレートのプレビュー表示がなされる。この例では、各ファックスＡ，Ｂ，Ｃに対応するテンプレートが１頁に２つずつ表示されるようになっており、図１４（ａ）に示すように１頁目には受注数の多い順にファックスＡ及びＢ、図１４（ｂ）に示すように２頁目には最も受注数の少ないファックスＣに対応するテンプレートがプレビュー表示されている。なお、前述と同様に頁の切替えは例えば矢印操作部３１を操作することによって行われ、所望のテンプレート上にカーソル３３が移動された状態で決定操作部３２が操作されると当該テンプレートが選択される。
【００７９】
なお、テンプレートの表示形態については、上述した図９、図１２、図１４に示すものに限るものではなく、例えば縦又は横方向に直列的に一覧表示したり、環状に並べて表示したり、あるいは文字情報のみで表示する等、その他の表示形態を採用してもよい。
【００８０】
図１５は、管理者タグＴｐの発行時に操作端末１００の制御回路１０５によって実行される制御内容を表すフローチャートである。
【００８１】
ステップＳ１０では、制御回路１０５は、前述した管理者タグ発行画面１０の品目選択部１１において管理対象である物品Ａの品目が選択されたか否かを判定する。品目が選択されるまで本判定を繰り返し、選択された場合には判定が満たされてステップＳ２０に移る。
【００８２】
ステップＳ２０では、制御回路１０５は、前述した管理者タグ発行画面１０の優先項目選択部１２，１３において優先項目が選択されたか否かを判定する。優先項目が選択されるまで本判定を繰り返し、選択された場合には判定が満たされてステップＳ３０に移る。
【００８３】
ステップＳ３０では、制御回路１０５は、例えば乱数を用いてタグＩＤ（この場合は管理者ＩＤ）を作成する。
【００８４】
ステップＳ４０では、制御回路１０５は、ネットワークＮＷを介してサーバ３００の管理者用データベース３０１に格納された管理者テーブルにアクセスし、上記ステップＳ３０で作成したタグＩＤが未登録であるか否かを判定する。登録済のタグＩＤと同一である場合には、判定が満たされずに上記ステップＳ３０に戻り、再度タグＩＤの作成を実行する。一方、登録済のタグＩＤと一致しない場合（すなわち未登録である）場合には、判定が満たされてステップＳ５０に移る。
【００８５】
ステップＳ５０では、制御回路１０５は、ネットワークＮＷを介して無線タグ作成装置４００に対しタグ発行指令を送信する。このとき、制御回路１０５は、上記ステップＳ３０で作成した管理者ＩＤ及び前述した管理者タグ発行画面１０のプレビュー部１６のプレビュー表示に対応した印刷データについても送信する。これにより、無線タグ作成装置４００において、無線タグ回路素子ＴｏのＩＣ回路部１５０に管理者ＩＤが書き込まれ、且つプレビュー表示されたイメージ画像に対応した印刷が行われた管理者タグＴｐが発行される。
【００８６】
ステップＳ６０では、制御回路１０５は、管理者タグＴｐの発行が正常に完了したか否かを、無線タグ作成装置４００からタグ発行完了信号（後述の図１９中ステップＳ４６０参照）を受信したか否かにより判定する。タグ発行完了信号を受信した場合には、管理者タグＴｐの発行が正常に完了したとみなし、判定が満たされてステップＳ７０に移る。
【００８７】
ステップＳ７０では、制御回路１０５は、ネットワークＮＷを介してサーバ３００の管理者用データベース３０１に格納された管理者テーブルにアクセスし、管理者ＩＤ、品目情報、優先項目情報を登録する。そして、本フローを終了する。
【００８８】
一方、先のステップＳ６０において、タグ発行完了信号を受信していない場合には、管理者タグＴｐの発行が正常に完了していないとみなし、判定が満たされずにステップＳ８０に移る。このステップＳ８０では、制御回路１０５は、表示部１０１に制御信号を出力し、タグ発行に失敗した旨を表す適宜のエラー表示を行う。そして、本フローを終了する。
【００８９】
図１６は、物品タグＴａの発行時に操作端末１００の制御回路１０５によって実行される制御内容を表すフローチャートである。
【００９０】
ステップＳ２００では、制御回路１０５は、表示条件及び在庫関連状況に基づき、表示部１０１の物品タグプレビュー画面３０において優先度の高い順に物品タグＴａのテンプレートのプレビュー表示を行うテンプレート表示処理を実行する（詳細は後述の図１７参照）。
【００９１】
ステップＳ１１０では、制御回路１０５は、物品タグプレビュー画面３０に基づき、管理者によりテンプレートが選択されたか否かを判定する。テンプレートが選択されていない場合（すなわち前述した新規作成操作部３５が操作された場合）には、判定が満たされずにステップＳ３００に移り、物品タグＴａのテンプレートを新規に作成して登録するテンプレートの新規登録処理を実行する（詳細は後述の図１８参照）。一方、テンプレートが選択された場合には、判定が満たされてステップＳ１２０に移る。
【００９２】
ステップＳ１２０では、制御回路１０５は、例えば乱数を用いてタグＩＤ（この場合は物品ＩＤ）を作成する。
【００９３】
ステップＳ１３０では、制御回路１０５は、ネットワークＮＷを介してサーバ３００の在庫データベース３０２に格納された在庫テーブルにアクセスし、上記ステップＳ１２０で作成したタグＩＤが未登録であるか否かを判定する。登録済のタグＩＤと同一である場合には、判定が満たされずに上記ステップＳ１２０に戻り、再度タグＩＤの作成を実行する。一方、登録済のタグＩＤと一致しない場合（すなわち未登録である）場合には、判定が満たされてステップＳ１４０に移る。
【００９４】
ステップＳ１４０では、制御回路１０５は、ネットワークＮＷを介して無線タグ作成装置４００に対しタグ発行指令を送信する。このとき、制御回路１０５は、上記ステップＳ１２０で作成した物品ＩＤ及び上記ステップＳ１１０で選択又は上記ステップＳ３００で新規登録したテンプレートに対応した印刷データについても送信する。これにより、無線タグ作成装置４００において、無線タグ回路素子ＴｏのＩＣ回路部１５０に物品ＩＤが書き込まれ、且つテンプレートに対応した印刷が行われた物品タグＴａが発行される。
【００９５】
ステップＳ１５０では、制御回路１０５は、物品タグＴａの発行が正常に完了したか否かを、無線タグ作成装置４００からタグ発行完了信号（後述の図１９中ステップＳ４６０参照）を受信したか否かにより判定する。タグ発行完了信号を受信した場合には、物品タグＴａの発行が正常に完了したとみなし、判定が満たされてステップＳ１６０に移る。
【００９６】
ステップＳ１６０では、制御回路１０５は、ネットワークＮＷを介してサーバ３００の在庫データベース３０２に格納された在庫テーブルにアクセスし、発行した物品タグＴａに対応する物品ＩＤ及び物品情報等（仕向先が登録されている場合には仕向先情報を含む）を登録する。これにより、在庫テーブルの在庫数は更新される。そして、本フローを終了する。
【００９７】
一方、先のステップＳ１５０において、タグ発行完了信号を受信していない場合には、物品タグＴａの発行が正常に完了していないとみなし、判定が満たされずにステップＳ１７０に移る。このステップＳ１７０では、制御回路１０５は、表示部１０１に制御信号を出力し、タグ発行に失敗した旨を表す適宜のエラー表示を行う。そして、本フローを終了する。
【００９８】
上記において、ステップＳ１４０又は無線タグ作成装置４００が、特許請求の範囲に記載の物品用無線タグを発行するタグ発行手段を構成し、ステップＳ１６０は、物品用データベースにアクセスして情報を更新するデータベース更新手段を構成する。
【００９９】
図１７は、上述したステップＳ２００のテンプレート表示処理の詳細内容を表すフローチャートである。
【０１００】
ステップＳ２１０では、制御回路１０５は、ＲＦＩＤリーダ２００により無線通信を介して管理者タグＴｐより読み取られた管理者ＩＤを、端末間無線通信を介してＲＦＩＤリーダ２００より受信する。
【０１０１】
ステップＳ２２０では、制御回路１０５は、ネットワークＮＷを介してサーバ３００の管理者用データベース３０１に格納された管理者テーブルにアクセスし、上記ステップＳ２１０で受信した管理者ＩＤが登録されているか否かを判定する。管理者ＩＤが登録されていない場合には、判定が満たされずに物品タグ発行処理を終了する（前述の図１６参照）。一方、管理者ＩＤが登録されている場合には、判定が満たされてステップＳ２３０に移る。
【０１０２】
ステップＳ２３０では、制御回路１０５は、管理者用データベース３０１の管理者テーブルにおいて、上記受信した管理者ＩＤに対応する優先項目及び品目情報を検索し取得する。
【０１０３】
ステップＳ２４０では、制御回路１０５は、ネットワークＮＷを介してサーバ３００の在庫データベース３０２にアクセスし、上記ステップＳ２３０で取得した品目情報に対応する在庫テーブルを取得する。
【０１０４】
ステップＳ２５０では、制御回路１０５は、上記ステップＳ２４０で取得した在庫テーブルに含まれる、上記ステップＳ２３０で取得した優先項目に基づく表示条件に係わる在庫関連状況情報（在庫数、仕向先情報、受注数等）を取得する。すなわち、優先項目として「在庫数」が選択されている場合には在庫関連状況情報として「在庫数」を、優先項目として「仕向け」が選択されている場合には在庫関連状況情報として「仕向先情報」を、優先項目として「受注数」が選択されている場合には在庫関連状況情報として「受注数」を取得する。
【０１０５】
ステップＳ２６０では、制御回路１０５は、表示部１０１に制御信号を出力し、上記取得した優先項目に基づく表示条件と、上記取得した在庫関連状況情報に基づく在庫関連状況とに基づき、物品タグプレビュー画面３０において物品タグＴａのテンプレートのプレビュー表示を優先度の高い順に行う。そして、本ルーチンを終了する。
【０１０６】
上記において、ステップＳ２３０は、特許請求の範囲に記載の物品取扱者ごとの表示条件情報を第１記憶手段より取得する条件取得手段を構成し、ステップＳ２５０は、在庫関連状況情報を第２記憶手段より取得する状況取得手段を構成する。また、ステップＳ２６０又は操作端末１００の表示部１０１が、物品取扱者による作成が予想される無線タグ種別を表示する表示手段を構成する。
【０１０７】
図１８は、上述したステップＳ３００のテンプレートの新規登録処理の詳細内容を表すフローチャートである。
【０１０８】
ステップＳ３１０では、制御回路１０５は、管理者により操作部１０２を介して操作入力される各種情報（物品名等）を操作部１０２より取得する。
【０１０９】
ステップＳ３２０では、制御回路１０５は、表示部１０１に制御信号を出力し、物品タグプレビュー画面３０において、上記ステップＳ３１０において取得した情報に基づき物品タグＴａのテンプレートのプレビュー表示を行う。
【０１１０】
ステップＳ３３０では、制御回路１０５は、管理者がテンプレートの編集を行うか否かを判定する。この判定は、例えば表示部１０１にテンプレートの登録を行う登録操作部（図示せず）を表示させ、その登録操作部が操作されたか否かによって判定される。登録操作部が操作されない場合には未だテンプレートの編集が終了していないとみなし、判定が満たされずにステップＳ３４０に移る。
【０１１１】
ステップＳ３４０では、制御回路１０５は、管理者により操作部１０２を介して操作入力されるテンプレートの編集情報を操作部１０２より取得する。そして、先のステップＳ３２０に戻り、編集後のテンプレートのプレビュー表示を行う。
【０１１２】
一方、上記ステップＳ３３０において、上記登録操作部が操作された場合にはテンプレートの編集が終了したとみなし、判定が満たされてステップＳ３５０に移る。
【０１１３】
ステップＳ３５０では、制御回路１０５は、上記編集された新規な物品タグＴａのテンプレートを操作端末１００内の適宜の記憶手段（ハードディスク等）に登録する。以上により本フローを終了する。
【０１１４】
図１９は、操作端末１００の制御回路１０５から送信された上記タグ発行指令を受信した無線タグ作成装置４００が管理者タグＴｐ又は物品タグＴａを発行する際に制御回路４１０によって実行される制御内容を表すフローチャートである。なお、管理者タグＴｐ及び物品タグＴａのいずれを発行する際も制御内容は同一であるので、以下の図１９の説明では単に「無線タグＴ」と記載する。
【０１１５】
まずステップＳ４１０では、制御回路４１０は、ネットワークＮＷ及びネットワーク通信制御部４０９を介して操作端末１００（の制御回路１０５）より無線タグＴのタグ発行指令、印刷データ、及びタグＩＤを受信したか否かの判定を行う。操作端末１００よりタグ発行指令を受信するまで本ステップを繰り返し、受信した場合には判定が満たされてステップＳ４２０に移る。
【０１１６】
ステップＳ４２０では、制御回路４１０は、上記ステップＳ４１０で操作端末１００より受信した印刷データに基づき、印字ヘッド４０５でタグテープ４０３の所定の印字領域に印字を行う。また、高周波回路４０２によりアクセス情報を生成して装置アンテナ４０１を介して無線タグ回路素子Ｔｏへ送信し、ＩＣ回路部１５０へタグＩＤの書き込みを行う。
【０１１７】
ステップＳ４３０では、制御回路４１０は、上記ステップＳ４３０で行った印字・情報書き込みが正常に終了したか否かの判定を行う。例えば情報書き込みが正常に終了したか否かの判定は、具体的には、高周波回路４０２により無線タグ回路素子ＴｏのＩＣ回路部１５０の内容を確認する確認信号に応じたアクセス情報を生成して、装置アンテナ４０１を介して無線タグ回路素子Ｔｏへ送信し、それに対応して書き込み対象の無線タグ回路素子Ｔｏから送信されたリプライ信号に基づき、タグＩＤの書き込みが正常に完了したか否かを判定することにより行う。印字・情報書き込みが正常に終了していない場合には、ステップＳ４４０に移る。そして、制御回路４１０は、ネットワーク通信制御部４０９及びネットワークＮＷを介して操作端末１００の制御回路１０５に制御信号を送信し、表示部１０１にその旨の表示（例えば「印字が正常に終了しませんでした」「タグ書き込みが正常に終了しませんでした」等）を行わせるエラー処理を行う。その後、本フローを終了する。一方、印字・情報書き込みが正常に終了した場合には、ステップＳ４５０に移る。
【０１１８】
ステップＳ４５０では、制御回路４１０は、カッタ４０７でタグテープ４０３の切断を行う。これにより、無線タグ回路素子ＴｏのＩＣ回路部１５０にタグＩＤが書き込まれると共に、印字領域に印刷データに対応する印字が行われた無線タグＴが作成される。
【０１１９】
ステップＳ４６０では、制御回路４１０は、無線タグＴの作成が完了した旨を通知するための作成完了信号を、ネットワーク通信制御部４０９、ネットワークＮＷを介して操作端末１００（の制御回路１０５）に送信する。そして、本フローを終了する。
【０１２０】
以上説明した実施形態によれば、以下のような作用効果を得る。すなわち、一般に管理対象である物品Ａの在庫関連状況に応じて管理者が物品タグＴａを発行する際、各管理者ごとに、取扱う物品Ａの品目や従事する取扱作業において一定のパターンが存在する場合がある。これに対応し、本実施形態では、そのパターンに対応するように、物品タグＴａの発行に際し操作端末１００の表示部１０１でテンプレートを表示する場合における表示条件が各管理者ごとに予め設定され、優先項目として管理者用データベース３０１に記憶されている。操作端末１００の制御回路１０５は、各管理者に対応する優先項目を管理者用データベース３０１より取得し、その取得結果に応じて（言い換えれば各管理者の上記取扱作業パターンに合致するように）在庫関連状況情報としての在庫数、仕向先情報、又は受注数等を在庫データベース３０２より取得する。この取得に基づく在庫関連状況と、上記取得した優先項目に基づく表示条件とに基づき、各管理者が作成するであろう物品タグＴａのテンプレートが予想され、表示部１０１にそのテンプレートがプレビュー表示される。管理者が、上記のようにして表示部１０１に表示されたテンプレートの１つを特定しタグ発行を指示すると、これに応じて、無線タグ作成装置４００によって、当該テンプレートに対応する物品タグＴａが発行される。
【０１２１】
以上のように、本実施形態においては、現在の物品Ａの在庫関連状況に応じて、各管理者の取扱作業パターンに最も合致するような物品タグＴａのテンプレートが自動的に操作端末１００の表示部１０１に表示される。これにより、管理者は、当該表示されたテンプレートの中から所望のテンプレートを特定し、タグ発行を指示するだけで、その時点で自己が作成すべき物品タグＴａを容易に発行することができる。この結果、タグ発行に必要な操作労力を大幅に低減できると共に、管理者の作業効率を大きく向上することができる。
【０１２２】
また、本実施形態では特に、予め各管理者ごとの優先項目をサーバ３００の管理者用データベース３０１に記憶しておく。これにより、物品タグＴａの発行の際に、操作端末１００の制御回路１０５が管理者用データベース３０１にアクセスして容易に優先項目を取得することができる。この結果、手動操作等により、いちいち各管理者ごとの表示条件を設定入力する必要がなくなり、作業効率を向上することができる。また、例えば無線タグに表示条件を記憶させる場合に比べて記憶容量が大幅に増大するので、データ容量を気にすることなく情報を記憶させることができる。
【０１２３】
また、本実施形態では特に、サーバ３００の管理者用データベース３０１に管理者が取り扱う品目情報が記憶されており、操作端末１００の制御回路１０５は、表示条件情報と共に品目情報を取得し、当該品目情報に対応する在庫テーブルを取得し、当該在庫テーブルに含まれる物品Ａの在庫関連状況情報を在庫データベース３０２より取得する。これにより、各管理者が担当する物品品目に絞って現在の在庫関連状況情報を取得し、その取得結果に応じ取扱作業パターンに合致するようなテンプレートを操作端末１００の表示部１０１に表示させることができるので、さらに作業効率の向上を図ることができる。
【０１２４】
また、本実施形態では特に、管理者が優先項目として「在庫数」を設定している場合、操作端末１００の制御回路１０５は、管理者用データベース３０１より物品Ａの在庫数の昇順表示を内容とする表示条件情報を取得し、在庫データベース３０２より在庫関連状況情報としての物品Ａの在庫数を取得し、その結果、表示部１０１では、取得した在庫数と表示条件（＝在庫数昇順表示）とに基づき、テンプレートを対応する物品Ａの在庫数が少ない順で表示する。これにより、管理者が例えば在庫補充担当者等であった場合に、在庫が少なくなった物品Ａの物品タグＴａを次に発行するであろうことを見越して、当該物品Ａに対応したテンプレートをいち早く操作端末１００の表示部１０１に表示し、タグ発行指示の利便性を向上することができる。
【０１２５】
また、本実施形態では特に、管理者が優先項目として「仕向け」を設定している場合、操作端末１００の制御回路１０５は、管理者用データベース３０１より所定の仕向先に対応する物品Ａの在庫の有無に基づく表示を内容とする表示条件情報を取得し、在庫データベース３０２より在庫関連状況情報としての物品Ａの仕向先情報を取得し、その結果、表示部１０１では、取得した仕向先情報と表示条件とに基づき、テンプレートを所定の仕向先に対応する在庫が無い物品Ａから表示する。これにより、所定の仕向先に対応する在庫が無い物品Ａの物品タグＴａを次に発行するであろうことを見越して、当該仕向先への出荷に対応したテンプレートをいち早く操作端末１００の表示部１０１に表示し、タグ発行指示の利便性を向上することができる。
【０１２６】
また、本実施形態では特に、物品タグＴａが発行されたら、在庫データベース３０２にアクセスして情報を更新する。これにより、新規に入荷して物品タグＴａの発行が行われた物品Ａについて、在庫数が増えたことを在庫データベース３０２に記録して更新することができる。この結果、当該在庫数が増えた物品Ａについては、次に無線タグ発行となる可能性が低くなることから、それ以外の在庫数が少ない物品Ａに対応したテンプレートを操作端末１００の表示部１０１に表示する等、刻々と変動する状況に応じて的確でタイムリーな表示を行うことができる。また、新規に入荷して物品タグＴａの発行が行われた物品Ａについて、当該物品Ａの出荷先を在庫データベース３０２に記録して更新することができる。この結果、当該出荷先が登録された物品Ａの在庫が存在することになるため、次に物品タグＴａを発行する際に当該在庫を考慮に入れたテンプレートのプレビュー表示が可能となり、刻々と変動する状況に応じて的確でタイムリーな表示を行うことができる。
【０１２７】
また、本実施形態では特に、操作端末１００の表示部１０１で、管理者による作成が予想される物品タグＴａの外観イメージ画像であるテンプレートを表示する。これにより、現在の在庫関連状況に応じて、各管理者の取扱作業パターンに合致するようなテンプレートが表示部１０１に表示されたとき、管理者は、実際に作成される物品タグＴａの実物に近い外観イメージによって、わかりやすくテンプレートを視覚的に認識し、さらにテンプレートを特定して発行指示することができる。
【０１２８】
なお、本発明は、上記実施形態に限られるものではなく、その趣旨及び技術的思想を逸脱しない範囲内で種々の変形が可能である。以下、そのような変形例を順を追って説明する。
【０１２９】
（１）表示条件情報を管理者タグに記憶させる場合
上述した実施形態では、管理者タグＴｐには管理者ＩＤのみを記憶させ、この管理者ＩＤに対応する表示条件情報としての優先項目や品目情報を在庫データベース３０２に格納するようにしたが、これに限らない。すなわち、管理者タグＴｐの記憶容量が大きい場合には、優先項目や品目情報自体を管理者タグＴｐに記憶させるようにしてもよい。この場合、管理者がＲＦＩＤリーダ２００を用いて管理者タグＴｐに対し情報読み取りを行うと、管理者タグＴｐより管理者ＩＤ、優先項目及び品目情報が取得され、ＲＦＩＤリーダ２００より端末間無線通信を介して操作端末１００に送信される。したがって、上記実施形態のように、管理者ＩＤをキーとして管理者用データベース３０１を検索し、対応する優先項目及び品目情報を取得する手順を省くことができる。
【０１３０】
なお、本変形例においては、管理者タグＴｐが特許請求の範囲に記載の第１記憶手段を構成し、ＲＦＩＤリーダ２００が物品取扱者用無線タグより無線通信により表示条件情報を取得する条件取得手段を構成する。
【０１３１】
本変形例によれば、各管理者ごとに、予め優先項目及び品目情報を記憶した管理者タグＴｐを用意しておくので、物品タグＴａの発行の際に、当該管理者タグＴｐに対しＲＦＩＤリーダ２００により情報読み取りを行うだけで、容易に優先項目及び品目情報を取得することができる。この結果、上記実施形態と同様に、手動操作等により、いちいち各管理者ごとの表示条件を設定入力する必要がなくなり、作業効率を向上することができる。
【０１３２】
（２）複数の表示条件を設定する場合
上記実施形態では、単一の優先項目を設定する場合を説明したが、前述したように複数の優先項目を組み合わせて設定することも可能である。
【０１３３】
図２０は、本変形例における管理者タグＴｐの発行時に操作端末１００の表示部１０１に表示される管理者タグ発行画面１０の一例を表す図である。この例では、優先項目選択部１２で「仕向け」が選択され、優先項目選択部１３で「在庫数」が選択されている。これにより、「仕向け」が優先度１、「在庫数」が優先度２として、「仕向け」の方を「在庫数」よりも優先して表示条件が設定される。すなわち、表示条件は、所定の仕向先が登録されている在庫が存在又は不存在である物品Ａを優先して表示した後、在庫数が少ない物品Ａを優先して表示する内容となる。なお、上記表示条件の優先度情報についても、優先項目及び品目情報と共に管理者用データベース３０１の管理者テーブルに登録される。
【０１３４】
本変形例によれば、各管理者ごとに、１つの表示条件ではなく複数の表示条件を設定し、それぞれに優先順位をつけた形で複数の表示条件を使い分けたり組み合わせて使うことができる。したがって、各管理者の取扱作業パターンに合致するようなテンプレートを操作端末１００の表示部１０１に表示させる際、さらにきめ細かな表示により多彩な利用が可能となる。この結果、利便性をさらに向上できると共に、システムの応用性・拡張性を高めることができる。
【０１３５】
なお、以上において、図２、図３、図４等の各図中に示す矢印は信号の流れの一例を示すものであり、信号の流れ方向を限定するものではない。
【０１３６】
また、図１５、図１６、図１７等に示すフローチャートは本発明を上記フローに示す手順に限定するものではなく、発明の趣旨及び技術的思想を逸脱しない範囲内で手順の追加・削除又は順番の変更等をしてもよい。
【０１３７】
また、以上既に述べた以外にも、上記実施形態や各変形例による手法を適宜組み合わせて利用しても良い。
【０１３８】
その他、一々例示はしないが、本発明は、その趣旨を逸脱しない範囲内において、種々の変更が加えられて実施されるものである。
【符号の説明】
【０１３９】
１０１    表示部（表示手段）
２００    ＲＦＩＤリーダ（条件取得手段）
３０１    管理者用データベース（第１記憶手段、物品取扱者用データベース）
３０２    在庫データベース（第２記憶手段、物品用データベース）
４００    無線タグ作成装置（タグ発行手段）
Ａ        物品
Ｔａ      物品タグ（物品用無線タグ）
Ｔｐ      管理者タグ（物品取扱者用無線タグ、第１記憶手段）
ＴＳ      タグ発行管理システム
【図１】
2010184766.tif 000003
【図２】
2010184766.tif 000004
【図３】
2010184766.tif 000005
【図４】
2010184766.tif 000006
【図５】
2010184766.tif 000007
【図６】
2010184766.tif 000008
【図７】
2010184766.tif 000009
【図８】
2010184766.tif 000010
【図９】
2010184766.tif 000011
【図１０】
2010184766.tif 000012
【図１１】
2010184766.tif 000013
【図１２】
2010184766.tif 000014
【図１３】
2010184766.tif 000015
【図１４】
2010184766.tif 000016
【図１５】
2010184766.tif 000017
【図１６】
2010184766.tif 000018
【図１７】
2010184766.tif 000019
【図１８】
2010184766.tif 000020
【図１９】
2010184766.tif 000021
【図２０】
2010184766.tif 000022